(57)【要約】【課題】直流電圧の印加時における測定対象体のインピーダンスを正確に測定する。【解決手段】試験電圧Ｖ１を測定対象体８の一端側に印加する信号源２と、測定対象体８の他端側に接続されて試験電圧Ｖ１を印加しているときに測定対象体８に流れる電流Ｉを電圧Ｖ２に変換すると共にこの電圧Ｖ２に基づいて測定対象体８に流れる交流電流成分Ｉａｃを検出する交流電流検出部４と、測定対象体８の一端側と他端側との間に発生する交流電圧成分Ｖ４を検出する電圧検出部３と、交流電流成分Ｉａｃおよび交流電圧成分Ｖ４に基づいて測定対象体８のインピーダンスＺを演算する演算制御部６と、測定対象体８の他端側に接続されて試験電圧Ｖ１を印加しているときに測定対象体８に流れる電流Ｉに含まれている直流電流成分Ｉａｃの少なくとも一部を相殺可能に直流電流Ｉ１を引き込みまたは吐き出す電流源５とを備えている。【選択図】図１
2007132777.tif 000002
【特許請求の範囲】
【請求項１】
交流電圧に直流電圧を重畳させた試験電圧を生成して測定対象体の一端側に印加する信号源と、
前記測定対象体の他端側に接続されて前記試験電圧を印加しているときに当該測定対象体に流れる電流を電圧に変換すると共に当該変換した電圧に基づいて当該測定対象体に流れる前記電流に含まれている交流電流成分を検出する交流電流検出部と、
前記測定対象体の前記一端側と前記他端側との間に発生する電圧に含まれている交流電圧成分を検出する電圧検出部と、
前記交流電流成分および前記交流電圧成分に基づいて前記測定対象体のインピーダンスを演算する演算部と、
前記測定対象体の前記他端側に接続されて前記試験電圧を印加しているときに当該測定対象体に流れる前記電流に含まれている直流電流成分の少なくとも一部を相殺可能に直流電流を引き込みまたは吐き出す電流源とを備えているインピーダンス測定装置。
【請求項２】
前記直流電流成分の電流値を検出する直流電流検出部と、
前記直流電流検出部によって検出された前記電流値に基づいて前記電流源に対して前記引き込みまたは吐き出させる直流電流の電流値を制御する制御部とを備えている請求項１記載のインピーダンス測定装置。
【請求項３】
前記制御部は、前記直流電流検出部によって検出された前記電流値と同一またはほぼ同一となるように前記電流源に対して前記引き込みまたは吐き出させる直流電流の電流値を制御する請求項２記載のインピーダンス測定装置。
【請求項４】
前記信号源は、抵抗を介して前記測定対象体の一端側に前記直流電圧を印加可能に構成され、
前記制御部は、前記直流電流検出部によって検出された前記電流値と前記抵抗の抵抗値とに基づいて当該抵抗の両端電圧を算出すると共に、当該算出した両端電圧に基づいて前記測定対象体の一端側に印加される直流電圧が指定された電圧値となるように前記直流電圧源を制御する請求項２または３記載のインピーダンス測定装置。
【発明の詳細な説明】
【技術分野】
【０００１】
本発明は、直流電圧の印加時における測定対象体のインピーダンスを測定するインピーダンス測定装置に関するものである。
【背景技術】
【０００２】
測定対象体に交流電圧を印加してそのインピーダンスを測定するこの種のインピーダンス測定装置は、一般的に、例えば、実開平５−４０８８８号公報に開示された電流−電圧変換回路と、測定対象体の両端間に発生する交流電圧を検出する電圧検出部と、電流−電圧変換回路から出力される電圧に基づいて測定対象体に流れている交流電流を検出すると共にこの交流電流と電圧検出部で検出された交流電圧とに基づいて測定対象体のインピーダンスを算出する演算制御部とを備えて構成されている。この場合、上述した電流−電圧変換回路は、切換可能な複数の電流検出抵抗をフィードバックループ内に有する演算増幅器を備え、複数の測定レンジのうちの１つの測定レンジが選択されて電流を電圧に変換可能に構成されている。したがって、このインピーダンス測定装置では、電流−電圧変換回路の電流検出抵抗を切り換えて適切な測定レンジとすることにより、各測定レンジのフルスケール時における演算増幅器の出力電圧がほぼ一定になるようにして、測定精度を確保している。
【０００３】
ところで、例えば有極性のコンデンサなどの測定対象体では、直流電圧を印加した状態でインピーダンスを測定したいことがある。このため、発明者等は、上記したインピーダンス測定装置における電流−電圧変換回路に直流電源を追加することにより、交流電源から出力される交流電圧に直流電源からの直流電圧を重畳させて測定対象体に印加可能に構成したインピーダンス測定装置を開発している。以下において、このインピーダンス測定装置について、図２を参照して説明する。同図に示すインピーダンス測定装置５１は、信号源５２、電圧検出部３、交流電流検出部４、演算制御部５６および表示部７を備え、直流電圧印加時における測定対象体８のインピーダンスＺを測定可能に構成されている。
【０００４】
このインピーダンス測定装置５１では、信号源５２に含まれている交流電圧源１１が交流電圧Ｖａｃを生成して測定対象体８の一端側にコンデンサ１２を介して印加すると共に、直流電圧源１３が直流電圧Ｖｄｃを生成して測定対象体８の一端側に抵抗１４を介して印加する。これにより、交流電圧Ｖａｃに直流電圧Ｖｄｃが重畳されてなる試験電圧Ｖ１が測定対象体８に印加されるため、測定対象体８には、交流電圧Ｖａｃに起因して発生する交流電流成分Ｉａｃに、直流電圧Ｖｄｃに起因して発生する直流電流成分Ｉｄｃが重畳されてなる電流Ｉが流れる。交流電流検出部４では、まず、演算増幅回路２１が、測定対象体８の他端側から入力した電流Ｉを、複数の電流検出抵抗（同図では３つの電流検出抵抗Ｒ１〜Ｒ３）のうちの切換スイッチ（同図では３つの切換スイッチＳＷ１〜ＳＷ３）の切り換えによって選択されている１つの電流検出抵抗Ｒ３で決定される変換利得で電流−電圧変換して電圧Ｖ２を生成する。この場合、演算増幅回路２１の各切換スイッチＳＷ１〜ＳＷ３は、演算制御部５６から出力される制御信号Ｓｃに従って切り換え制御される。次いで、電圧Ｖ２はコンデンサ２２によって直流電圧成分が除去されて、その交流電圧成分のみが抵抗２３に電圧Ｖ３として発生し、この電圧Ｖ３がバッファアンプ２４からＡ／Ｄ変換回路２５に出力される。Ａ／Ｄ変換回路２５は、電圧Ｖ３の電圧値を所定のサンプリング周期でデータＤ３に変換して演算制御部５６に出力する。また、演算制御部５６は、データＤ３によって示される交流電圧成分の大きさに応じて切換スイッチＳＷ１〜ＳＷ３を切り換え制御することによって演算増幅回路２１の測定レンジを適切な測定レンジに設定する。
【０００５】
他方、電圧検出部３は、測定対象体８の両端間に発生する電圧に含まれている交流電圧成分Ｖ４、すなわち交流電流成分Ｉａｃが測定対象体８を流れることによって測定対象体８に発生する電圧成分を所定のサンプリング周期（一例としてＡ／Ｄ変換回路２５と同一のサンプリング周期）で検出すると共に、この交流電圧成分Ｖ４の電圧値を示すデータＤ２を演算制御部５６に出力する。演算制御部５６は、このデータＤ２に基づいて測定対象体８に発生している交流電圧成分Ｖ４の電圧値を算出すると共に、演算増幅回路２１の測定レンジおよびデータＤ３に基づいて測定対象体８に流れている交流電流成分Ｉａｃの電流値を算出し、さらに、算出した電圧値および電流値に基づいて、直流電圧が印加されているときの測定対象体８のインピーダンスＺを算出して、表示部７に表示させる。
【特許文献１】実開平５−４０８８８号公報（第５−６頁、第１図）
【発明の開示】
【発明が解決しようとする課題】
【０００６】
ところが、上記のインピーダンス測定装置５１には、以下の課題が存在している。すなわち、このインピーダンス測定装置５１では、交流電流検出部４の演算増幅回路２１が、交流電圧Ｖａｃに起因する交流電流成分Ｉａｃと共に直流電圧Ｖｄｃに起因する直流電流成分Ｉｄｃも併せて電流−電圧変換している。このため、測定対象体８の直流抵抗が低いために直流電流成分Ｉｄｃが大きいときには、測定レンジによっては演算増幅回路２１から出力される電圧Ｖ２がクリップされる（つまり、演算増幅回路２１の出力が飽和する）現象が発生する可能性が高まり、このクリップ現象の発生時には、交流電流成分Ｉａｃを正確に電流−電圧変換できない結果、測定対象体８のインピーダンスＺを正確に測定できない事態が発生するという課題が存在している。この場合、このインピーダンス測定装置５１では、演算制御部５６が、データＤ３によって示される交流電圧成分の大きさに応じて切換スイッチＳＷ１〜ＳＷ３を切り換え制御することによって演算増幅回路２１の測定レンジを適切な測定レンジに設定している。ところが、演算増幅回路２１は、交流電流成分Ｉａｃと共に直流電圧Ｖｄｃに起因する直流電流成分Ｉｄｃも併せて電流−電圧変換している。このため、直流電流成分Ｉｄｃが大きいときには、たとえ交流電圧成分の大きさに応じて適切な測定レンジに設定したとしても、直流電流成分Ｉｄｃによって演算増幅回路２１の出力が飽和することもあり、このようなときには、依然として、測定対象体８のインピーダンスＺを測定するための基本信号である交流電圧Ｖａｃ（または交流電流成分Ｉａｃ）を、Ａ／Ｄ変換回路２５のダイナミックレンジを有効に活用し得るレベルまで増幅できないことも生じる。このため、インピーダンスＺについての測定誤差が大きくなる結果、これを改善するのが好ましい。
【０００７】
本発明は、かかる課題に鑑みてなされたものであり、直流電圧の印加時における測定対象体のインピーダンスを正確に測定し得るインピーダンス測定装置を提供することを主目的とする。
【課題を解決するための手段】
【０００８】
上記目的を達成すべく請求項１記載のインピーダンス測定装置は、交流電圧に直流電圧を重畳させた試験電圧を生成して測定対象体の一端側に印加する信号源と、前記測定対象体の他端側に接続されて前記試験電圧を印加しているときに当該測定対象体に流れる電流を電圧に変換すると共に当該変換した電圧に基づいて当該測定対象体に流れる前記電流に含まれている交流電流成分を検出する交流電流検出部と、前記測定対象体の前記一端側と前記他端側との間に発生する電圧に含まれている交流電圧成分を検出する電圧検出部と、前記交流電流成分および前記交流電圧成分に基づいて前記測定対象体のインピーダンスを演算する演算部と、前記測定対象体の前記他端側に接続されて前記試験電圧を印加しているときに当該測定対象体に流れる前記電流に含まれている直流電流成分の少なくとも一部を相殺可能に直流電流を引き込みまたは吐き出す電流源とを備えている。
【０００９】
また、請求項２記載のインピーダンス測定装置は、請求項１記載のインピーダンス測定装置において、前記直流電流成分の電流値を検出する直流電流検出部と、前記直流電流検出部によって検出された前記電流値に基づいて前記電流源に対して前記引き込みまたは吐き出させる直流電流の電流値を制御する制御部とを備えている。
【００１０】
また、請求項３記載のインピーダンス測定装置は、請求項２記載のインピーダンス測定装置において、前記制御部は、前記直流電流検出部によって検出された前記電流値と同一またはほぼ同一となるように前記電流源に対して前記引き込みまたは吐き出させる直流電流の電流値を制御する。
【００１１】
また、請求項４記載のインピーダンス測定装置は、請求項２または３記載のインピーダンス測定装置において、前記信号源は、抵抗を介して前記測定対象体の一端側に前記直流電圧を印加可能に構成され、前記制御部は、前記直流電流検出部によって検出された前記電流値と前記抵抗の抵抗値とに基づいて当該抵抗の両端電圧を算出すると共に、当該算出した両端電圧に基づいて前記測定対象体の一端側に印加される直流電圧が指定された電圧値となるように前記直流電圧源を制御する。
【発明の効果】
【００１２】
請求項１記載のインピーダンス測定装置によれば、測定対象体の他端側に電流源を接続すると共に、この電流源において測定対象体に流れる直流電流成分の少なくとも一部を相殺可能に直流電流を引き込みまたは吐き出させることにより、交流電流検出部に流れる直流成分を減少させることができる。このため、その減少分だけ、交流電流検出部での出力の飽和の可能性を低下させることができる。また、その減少分だけ、交流電流検出部において測定対象体に流れる交流成分をより高い利得で電圧に変換することができるため、この電圧に基づいて直流電圧の印加時における測定対象体のインピーダンスを精度よく測定することができる。
【００１３】
また、請求項２記載のインピーダンス測定装置によれば、信号源から測定対象体に供給されている直流電流成分、つまり測定対象体に流れる直流電流成分の電流値を検出する直流電流検出部を設け、制御部が、直流電流検出部で検出された直流電流成分に基づいて電流源に対して引き込みまたは吐き出させる直流電流の電流値を制御することにより、測定対象体に流れる直流電流成分の電流値の大小に応じて電流源に対して引き込みまたは吐き出させる直流電流の電流値を増減させることができる結果、測定対象体に流れる直流電流成分の電流値が変わったとしても、直流電圧の印加時における測定対象体のインピーダンスを精度よく測定することができる。
【００１４】
また、請求項３記載のインピーダンス測定装置によれば、制御部が、直流電流検出部によって検出された直流電流成分の電流値と同一またはほぼ同一となるように電流源に対して引き込みまたは吐き出させる直流電流の電流値を制御することにより、測定対象体に流れる交流電流成分のみを交流電流検出部に流入させることができる。このため、交流電流検出部における出力のクリップ現象の発生を一層軽減させることができる。また、交流電流検出部が、交流電流成分の大きさに適した最大の利得で交流電流成分を電圧に変換できるため、測定対象体に流れる交流電流成分を一層精度よく検出することができる結果、直流電圧の印加時における測定対象体のインピーダンスを一層精度よく測定することができる。
【００１５】
また、請求項４記載のインピーダンス測定装置によれば、制御部が、信号源に直列に接続された抵抗における電圧降下に基づいて信号源で生成する直流電圧の電圧値を制御することにより、信号源から測定対象体に供給される直流電流成分の電流値に左右されることなく、指定された電圧値の直流電圧を測定対象体に印加した状態で測定対象体のインピーダンを測定することができる。
【発明を実施するための最良の形態】
【００１６】
以下、本発明に係るインピーダンス測定装置の最良の形態について、添付図面を参照して説明する。
【００１７】
最初に、インピーダンス測定装置１の構成について、図面を参照して説明する。図１に示すインピーダンス測定装置１は、信号源２、電圧検出部３、交流電流検出部４、電流源５、演算制御部６および表示部７を備えて構成されて、例えばプローブなどを介して接続された測定対象体８のインピーダンスＺを測定レンジを切り換えて測定可能に構成されている。
【００１８】
信号源２は、図１に示すように、交流電圧源１１、コンデンサ１２、直流電圧源１３、抵抗１４および直流電流検出部１５を備えて構成されて、例えばプローブを介して測定対象体８の一端側（同図中の左端側）に接続される。この場合、交流電圧源１１は、交流電圧Ｖａｃを生成すると共に、生成している交流電圧Ｖａｃを測定対象体８の一端側にコンデンサ１２を介して印加する。直流電圧源１３は、直流電圧Ｖｄｃを生成すると共に、生成している直流電圧Ｖｄｃを測定対象体８の一端側に抵抗１４を介して印加する。また、直流電圧源１３は、出力可変型電圧源を使用することにより、演算制御部６の制御下で直流電圧Ｖｄｃの電圧値を変更可能に構成されている。この構成により、信号源２は、交流電圧Ｖａｃに直流電圧Ｖｄｃを重畳させた試験電圧Ｖ１を測定対象体８の一端側に印加可能に構成されている。直流電流検出部１５は、直流電圧源１３と測定対象体８の一端側との間に、抵抗１４と直列に配設されている。また、直流電流検出部１５は、直流電圧源１３から測定対象体８に供給されている直流電流成分Ｉｄｃを検出すると共に、この直流電流成分Ｉｄｃの電流値を示すデータＤ１を演算制御部６に出力する。なお、コンデンサ１２は交流電圧源１１に直流電圧Ｖｄｃが印加される事態を回避するために、また抵抗１４は交流電圧源１１から測定対象体８に印加された交流電圧Ｖａｃが短絡する（ゼロボルトになる）事態を回避するためにそれぞれ配設されている。また、抵抗１４の抵抗値は既知であるとする。電圧検出部３は、測定対象体８に接続されて、測定対象体８の両端間（一端と他端との間）に発生する電圧に含まれている交流電圧成分Ｖ４を所定のサンプリング周期で検出すると共に、この交流電圧成分Ｖ４の電圧値を示すデータＤ２を演算制御部６に出力する。
【００１９】
交流電流検出部４は、図１に示すように、演算増幅回路２１、コンデンサ２２、抵抗２３、バッファアンプ２４およびＡ／Ｄ変換回路２５を備え、例えばプローブを介して測定対象体８の他端側（同図中の右端側）に接続される。この場合、演算増幅回路２１は、反転型演算増幅器２１ａおよび抵抗群２１ｂを備えて、本発明における電流−電圧変換回路として構成されている。抵抗群２１ｂは、対応する測定レンジ設定用の切換スイッチ（本例では切換スイッチＳＷ１〜ＳＷ３）と直列に接続されて反転型演算増幅器２１ａのフィードバックループを構成可能な複数（本例では一例として３本）の電流検出抵抗Ｒ１〜Ｒ３を含んで構成されている。この抵抗群２１ｂでは、演算制御部６から出力される制御信号Ｓｃに従ってオン・オフ制御される各切換スイッチＳＷ１〜ＳＷ３によって電流検出抵抗Ｒ１〜Ｒ３の接続が切り換えられて、抵抗群２１ｂ（つまりフィードバックループ）全体としての抵抗値が設定される。この構成により、演算増幅回路２１は、その利得（増幅率）が測定レンジに対応して設定されて、測定対象体８から入力した電流Ｉ２をこの設定された利得で電圧Ｖ２に変換して出力する。コンデンサ２２は電圧Ｖ２の直流成分を除去する。抵抗２３の両端には、電圧Ｖ２の交流成分が電圧Ｖ３として発生し、バッファアンプ２４は、この電圧Ｖ３をＡ／Ｄ変換回路２５に出力する。Ａ／Ｄ変換回路２５は、所定のサンプリング周期（電圧検出部３と同じサンプリング周期）で電圧Ｖ３の電圧値をデータＤ３に変換して演算制御部６に出力する。以上の構成により、交流電流検出部４は、測定対象体８に流れる電流Ｉ２に含まれている交流電流成分を検出すると共に、この交流電流成分の電流値を示すデータＤ３を出力する。
【００２０】
電流源５は、交流電流検出部４の入力端子（反転型増幅器２１ａの反転入力端子）とグランドとの間に接続されている。したがって、交流電流検出部４がプローブを介して測定対象体８の他端側に接続されたときには、電流源５は、測定対象体８の他端側（同図中の右端側）とグランドとの間に接続されて、測定対象体８を流れる電流Ｉに含まれている直流電流成分（直流電流Ｉ１）の引き込みまたは吐き出しを行う。本例では、一例として、電流源５は、電流値可変型の定電流源で構成されて、直流電流Ｉ１の向き（引き込みまたは吐き出し）とその電流値が演算制御部６によって設定可能に構成されている。演算制御部６は、本発明における演算部として機能してインピーダンス算出処理を実行すると共に、本発明における制御部として機能して直流電圧源１３に対する電圧制御処理および電流源５に対する電流制御処理を実行する。また、演算制御部５６は、データＤ３によって示される交流電圧成分の大きさに応じて切換スイッチＳＷ１〜ＳＷ３を切り換え制御することによって演算増幅回路２１の測定レンジを適切な測定レンジに設定する。表示部７は、例えばＬＣＤで構成されて、演算制御部６によって算出された測定対象体８のインピーダンスＺを表示する。
【００２１】
次に、インピーダンス測定装置１による測定対象体８のインピーダンス測定動作について、図面を参照して説明する。
【００２２】
まず、図１に示すように、測定対象体８をインピーダンス測定装置１に接続する。次いで、インピーダンス測定装置１を作動させる。これにより、信号源２が測定対象体８に対して試験電圧Ｖ１の印加を開始するため、測定対象体８には電流Ｉが流れ始める。この場合、電流Ｉは、交流電圧Ｖａｃに起因して発生する交流電流成分Ｉａｃに、直流電圧Ｖｄｃに起因して発生する直流電流成分Ｉｄｃが重畳された電流となる。また、信号源２では、直流電流検出部１５が、直流電流成分Ｉｄｃの電流値を示すデータＤ１の演算制御部６への出力を開始する。また、演算制御部６は、Ａ／Ｄ変換回路２５から出力されるデータＤ３によって示される交流電圧成分の大きさに応じて切換スイッチＳＷ１〜ＳＷ３を切り換え制御することによって演算増幅回路２１の測定レンジを適切な測定レンジに自動設定する。この場合、一例として、切換スイッチＳＷ３のみがオン状態となる測定レンジに設定されているものとする。
【００２３】
続いて、演算制御部６は、最初に、入力したデータＤ１に基づいて直流電圧源１３に対する電圧制御処理を実行する。この電圧制御処理では、演算制御部６は、まず、データＤ１に基づいて直流電流成分Ｉｄｃの電流値を算出する。次いで、演算制御部６は、算出した直流電流成分Ｉｄｃと抵抗１４の抵抗値（既知）とを乗算することにより、抵抗１４で電圧降下した電圧値およびその向き（正負）を算出する。次いで、演算制御部６は、算出した電圧降下の向きおよび電圧値に基づいて、測定対象体８の一端側に例えば図外の操作部を用いて測定者によって指定された直流電圧（測定者にとって所望の極性の直流電圧）が印加されるように直流電圧源１３の直流電圧Ｖｄｃの極性（正負）およびその電圧値を決定する。続いて、演算制御部６は、直流電圧源１３を制御してその直流電圧Ｖｄｃを決定した極性および電圧値に変更する。これにより、直流電圧源１３に対する演算制御部６による電圧制御処理が完了して、測定対象体８の一端側に所望の極性で所望の電圧値の直流電圧が印加される。
【００２４】
この電圧制御処理が完了した後に、演算制御部６は、電流源５に対する電流制御処理を実行する。この電流制御処理では、演算制御部６は、電流源５を制御して、引き込む直流電流Ｉ１の電流値または吐き出す直流電流Ｉ１の電流値を、前述した電圧制御処理によって算出した直流電流成分Ｉｄｃの極性および電流値と同一に設定する。つまり、演算制御部６は、直流電流成分Ｉｄｃの極性が正（信号源２から交流電流検出部４への向き）のときには、同じ電流値の直流電流Ｉ１を引き込み、直流電流成分Ｉｄｃの極性が負（交流電流検出部４から信号源２への向き）のときには、同じ電流値の直流電流Ｉ１を吐き出す。なお、直流電流検出部１５における直流電流成分Ｉｄｃの検出誤差などに起因して、直流電流Ｉ１の電流値を直流電流成分Ｉｄｃの電流値と同一に設定しようとしたとしても、完全に同一に設定できずに、直流電流Ｉ１の電流値と直流電流成分Ｉｄｃの電流値との間に例えば数％程度の誤差が生じることもあるが、本例では、直流電流Ｉ１の電流値が、直流電流成分Ｉｄｃの電流値とほぼ同一に設定されているとする。この結果、交流電流検出部４には、測定対象体８に流れる電流Ｉから電流源５によって引き込まれるか吐き出された直流電流Ｉ１を差し引いた残りの電流Ｉ２が流入する。この場合、この演算制御部６による電流制御処理により、直流電流Ｉ１の電流値が直流電流成分Ｉｄｃの電流値と相殺されるように同一またはほぼ同一に設定されているため、直流電流が殆ど重畳していない交流電流成分Ｉａｃが電流Ｉ２として交流電流検出部４に流入する。
【００２５】
交流電流検出部４では、まず、演算増幅回路２１が、設定されている所定の利得で電流Ｉ２を電圧Ｖ２に変換して出力する。この場合、電流Ｉ２は電流検出抵抗Ｒ３に流れるため、電圧Ｖ２の電圧値は、電流検出抵抗Ｒ３の抵抗値に電流Ｉ２の電流値を乗算した値となる。この際に、抵抗Ｒ３には、測定対象体８に流れている電流Ｉのうちの交流電流成分Ｉａｃのみが電流Ｉ２として流れ、直流電流が殆ど流れないため、演算増幅回路２１は、抵抗Ｒ３で規定される最大の利得で電流Ｉ２（つまり交流電流成分Ｉａｃ）を電圧Ｖ２に変換する。次いで、コンデンサ２２が、電圧Ｖ２に含まれている直流成分を除去する。これにより、抵抗２３の両端には、電圧Ｖ２の交流成分が電圧Ｖ３として発生する。続いて、バッファアンプ２４がこの電圧Ｖ３をＡ／Ｄ変換回路２５に出力し、Ａ／Ｄ変換回路２５が所定のサンプリング周期で電圧Ｖ３の電圧値をデータＤ３に変換して演算制御部６に出力する。このように、交流電流検出部４では、電圧Ｖ２に含まれている直流成分がコンデンサ２２によって除去されるため、電流Ｉ２に直流電流が重畳していたとしても、Ａ／Ｄ変換回路２５から出力されるデータＤ３は、測定対象体８に流れている交流電流成分Ｉａｃの電流値を示すことになる。
【００２６】
他方、電圧検出部３は、測定対象体８の両端間に発生する電圧に含まれている交流電圧成分Ｖ４、すなわち交流電流成分Ｉａｃが測定対象体８を流れることによって測定対象体８に発生する電圧成分を所定のサンプリング周期で検出すると共に、この交流電圧成分Ｖ４の電圧値を示すデータＤ２を演算制御部６に出力する。演算制御部６は、このデータＤ２、および交流電流検出部４から入力しているデータＤ３に基づいてインピーダンス算出処理を実行する。このインピーダンス算出処理では、演算制御部６は、データＤ２に基づいて測定対象体８に発生している交流電圧成分Ｖ４の電圧値を算出すると共に、交流電流検出部４から出力されているデータＤ３および現在の測定レンジに基づいて測定対象体８に流れている交流電流成分Ｉａｃの電流値を算出する。次いで、演算制御部６は、算出した電圧値および電流値に基づいて交流電圧成分Ｖ４と交流電流成分Ｉａｃの振幅比を算出する。また、演算制御部６は、データＤ２およびデータＤ３に基づいて、交流電圧成分Ｖ４と交流電流成分Ｉａｃとの間の位相差を算出する。最後に、演算制御部６は、算出した振幅比と位相差とに基づいて、測定対象体８のインピーダンスＺを算出し、算出したインピーダンスＺを所望の直流電圧が印加されているときの測定対象体８のインピーダンスとして表示部７に表示させる。この場合、インピーダンスＺと共に、算出した交流電圧成分Ｖ４の電圧値や交流電流成分Ｉａｃの電流値を併せて表示部７に表示させることもできる。以上により、インピーダンス測定装置１による測定対象体８のインピーダンス測定動作が完了する。
【００２７】
このように、このインピーダンス測定装置１によれば、測定対象体８の他端側に電流源５を接続すると共に、この電流源５において測定対象体８に流れる直流電流成分Ｉｄｃの電流値と同一またはほぼ同一の電流値の直流電流Ｉ１を引き込みまたは吐き出させることにより、測定対象体８に流れる交流電流成分Ｉａｃのみを交流電流検出部４に流入させることができる。このため、演算増幅回路２１における電圧Ｖ２のクリップ現象の発生を軽減させることができる。また、交流電流検出部４において、演算増幅回路２１が交流電流成分Ｉａｃの大きさに適した最大の利得で電流Ｉ２（つまり交流電流成分Ｉａｃ）を電圧Ｖ２に変換してＡ／Ｄ変換回路２５に出力することができる結果、Ａ／Ｄ変換回路２５が、そのダイナミックレンジを有効に利用して高精度で交流電流成分Ｉａｃを示すデータＤ３を生成することができる。したがって、インピーダンス測定装置１は、直流電圧Ｖｄｃの印加時における測定対象体８のインピーダンスＺを精度よく測定することができる。
【００２８】
また、このインピーダンス測定装置１によれば、直流電圧源１３から測定対象体８に供給されている直流電流成分Ｉｄｃ、つまり測定対象体８に流れる直流電流成分の電流値を検出する直流電流検出部１５を設け、演算制御部６が、直流電流検出部１５で検出された直流電流成分Ｉｄｃに基づいて電流源５に対して引き込みまたは吐き出させる直流電流Ｉ１の電流値を制御することにより、直流電流成分Ｉｄｃの電流値の大小に応じて直流電流Ｉ１に対して引き込みまたは吐き出させる直流電流Ｉ１の電流値を増減させることができる結果、直流電流成分Ｉｄｃの電流値が変わったとしても、直流電圧Ｖｄｃの印加時における測定対象体８のインピーダンスＺを精度よく測定することができる。
【００２９】
また、このインピーダンス測定装置１によれば、演算制御部６が、直流電圧源１３に直列に接続された抵抗１４における電圧降下に基づいて直流電圧源１３で生成する直流電圧Ｖｄｃの電圧値を制御することにより、直流電圧源１３から測定対象体８に供給される直流電流成分Ｉｄｃの電流値に左右されることなく、指定された電圧値の直流電圧を測定対象体８に印加した状態で測定対象体８のインピーダンスＺを測定することができる。
【００３０】
なお、本発明は、上記の構成に限定されない。例えば、交流電流検出部４では、流入する電流Ｉ２に含まれている直流電流成分が少なくなればなる程、Ａ／Ｄ変換回路２５のダイナミックレンジを有効に利用して精度の良いデータＤ３を出力することができる。このため、最も好適な例として、演算制御部６が電流源５に対して引き込みまたは吐き出させる直流電流Ｉ１の電流値を直流電流成分Ｉｄｃの電流値と同一またはほぼ同一に設定して、電流Ｉ２に含まれる直流電流成分をほぼゼロとする構成について上記したが、演算増幅回路２１の出力が飽和しない範囲内である限り、若干の直流電流成分が電流Ｉ２に含まれていたとしても、交流電流検出部４が精度の良いデータＤ３を出力することができる。また、交流電流検出部４に流入する電流Ｉ２に含まれている直流電流成分を少しでも減少させることにより、その減少分だけ、演算増幅回路２１の出力が飽和する可能性を低下させることができる。したがって、電流源５に対して引き込みまたは吐き出させる直流電流Ｉ１の電流値を必ずしも直流電流成分Ｉｄｃの電流値と同一またはほぼ同一となるように設定する必要はなく、電流源５が直流電流成分Ｉｄｃの一部を相殺可能に直流電流Ｉ１として引き込むか、または操作可能に吐き出す構成を採用することもできる。
【００３１】
また、直流電圧源１３から測定対象体８に供給されている直流電流成分Ｉｄｃの電流値に応じて、演算制御部６が電流源５に対して引き込みまたは吐き出させる直流電流Ｉ１の電流値を制御する構成について上記したが、直流電圧源１３から測定対象体８に供給されている直流電流成分Ｉｄｃの向きとその電流値がほぼ一定のときには、電流源５に対して引き込みまたは吐き出させる直流電流Ｉ１の電流値を、直流電流成分Ｉｄｃの向きとその電流値に基づいて予め定めた一定の向きで一定の電流値とする構成を採用することもできる。この構成によれば、直流電流検出部１５を不要にできると共に、電流源５に対する演算制御部６による電流制御処理も不要にすることができるため、インピーダンス測定装置１の装置構成を簡略化することができる。また、直流電圧源１３から測定対象体８に供給されている直流電流成分Ｉｄｃの電流値に基づいて、演算制御部６が抵抗１４の電圧降下による電圧値を算出して直流電圧源１３で生成する直流電圧Ｖｄｃの電圧値を制御する構成について上記したが、抵抗１４での電圧降下が低く無視できるレベルのときには、直流電圧源１３を固定電圧源として、演算制御部６による電圧制御処理を不要にすることもできる。この構成によれば、インピーダンス測定装置１の装置構成を一層簡略化することができる。
【図面の簡単な説明】
【００３２】
【図１】本発明に係るインピーダンス測定装置１の構成を示すブロック図である。
【図２】発明者等が提案しているインピーダンス測定装置５１の構成を示すブロック図である。
【符号の説明】
【００３３】
１  インピーダンス測定装置
２  信号源
３  電圧検出部
４  交流電流検出部
５  電流源
６  演算制御部
８  測定対象体
１１  交流電圧源
１３  直流電圧源
Ｉ１  直流電流
Ｖ４  交流電圧成分
Ｖａｃ  交流電圧
Ｖｄｃ  直流電圧
Ｚ  インピーダンス
【図１】
2007132777.tif 000003
【図２】
2007132777.tif 000004